Podtech/llm-jp-corpus-v4-ja_patent huggingface dataset:
(57)【要約】 【課題】バーコードの読み取りによって得られた情報などのデジタル情報を元にコース情報を作成することによって、ゴルフゲームのもつゲーム性を従来のゲームより増大させること。日常のどこにでもある１次元バーコードや２次元バーコードを利用してコース情報を生成し、プレイヤーの興味を持続させること。【解決手段】入力手段、制御手段、表示手段または出力手段、記憶手段を備え、操作により情報処理が行われるシステムであって、バーコード情報等を読み取る情報入力手段と、バーコード情報等を記憶する情報記憶手段と、バーコード情報等からゴルフコース情報に変換する処理手段と、ゴルフコース情報を画面に出力する表示手段または出力手段と、表示されたゴルフコース情報をもとにゴルフゲームを行う操作手段と、ゴルフゲームの結果を記憶する記憶手段と、を具備するゴルフのゲームシステム。【選択図】 図１
2007151863.tif 000002
【特許請求の範囲】
【請求項１】
入力手段、制御手段、表示手段または出力手段、記憶手段を備え、操作により情報処理が行われるシステムであって、
バーコード情報を読み取る情報入力手段と、
バーコード情報を記憶する情報記憶手段と、
バーコード情報からゴルフコース情報に変換する処理手段と、
ゴルフコース情報を画面に出力する表示手段または出力手段と、
表示されたゴルフコース情報をもとにゴルフゲームを行う操作手段と、
ゴルフゲームの結果を記憶する記憶手段と、
を具備してなるゴルフのゲームシステム。
【請求項２】
前記に記載のバーコードに加え他の文字・画像情報などのデジタル情報をも読み取る対象とすること特徴とする請求項１に記載のゴルフのゲームシステム。
【請求項３】
前記に記載のバーコードや他の文字情報・画像などのデジタル情報が持つ本来の情報とその情報を変換して得られたゴルフコースの情報との間の関係は一意であるも、ゲーム利用者には不明であることを特徴とする請求項１に記載のゴルフのゲームシステム。
【発明の詳細な説明】
【技術分野】
【０００１】
本発明は、入力手段、制御手段、表示手段または出力手段、記憶手段を備え、操作により情報処理が行われるシステム上で動作する、バーコード情報や他の文字・画像情報などのデジタル情報を利用した、ゴルフのゲームシステムに関する。
【背景技術】
【０００２】
従来のコンピュータ等によるゴルフゲームでは、あらかじめ用意されたゴルフコースの情報をもとにプレイするか、あるいはインターネットなどのネットワークを通じて外部から入手したゴルフコースの情報をもとにプレイするかのいずれかがほとんどである。この方法ではゴルフゲームを行う者にとり、コース情報自体はあらかじめ設定された範囲内のものでゲーム性が低い。
【特許文献１】特開２００４−９７３６６号公報
【発明の開示】
【発明が解決しようとする課題】
【０００３】
そこで本発明では、バーコード情報や他の文字・画像情報などのデジタル情報の読み取りによって得られた情報を元にコース情報を作成してゴルフゲームを行う者の興味を喚起・持続させようとするものである。コース情報とは、グリーン・フェアウェー・ラフ・池・バンカー・ティー位置などの地形、芝目、風力・風向・降雨状況などの気象状態、パー、カップまでの距離などである。
【課題を解決するための手段】
【０００４】
上述の如き本発明の目的を達成するために、本願の請求項１に係る発明では、入力手段、制御手段、表示手段または出力手段、記憶手段を備え、操作により情報処理が行われるシステムであって、バーコード情報や他の文字・画像情報などのデジタル情報を読み取る情報入力手段と、バーコード情報を記憶する情報記憶手段と、バーコード情報からゴルフコース情報に変換する処理手段と、ゴルフコース情報を画面に出力する表示手段または出力手段と、表示されたゴルフコース情報をもとにゴルフゲームを行う操作手段と、ゴルフゲームの結果を記憶する記憶手段と、を具備してなるゴルフのゲームシステムを提供する。
【０００５】
本願の請求項２に係る発明では、１次元バーコードや２次元バーコードの何れかであることを特徴とする請求項１に記載のゴルフのゲームシステムを提供する。
本願の請求項３に係る発明では、前記に記載のバーコードや他の文字・画像情報などのデジタル情報が持つ本来の情報とその情報を変換して得られたゴルフコースの情報との間の関係が一意であるも、ゲーム利用者には不明であることを特徴とする請求項１に記載のゴルフのゲームシステムを提供する。
【発明の効果】
【０００６】
本発明によれば、バーコードや他の文字・画像情報の読み取りによって得られた情報を元にコース情報を作成することによって、ゴルフゲームのもつゲーム性を従来のゲームより増大させることの可能なシステムを提供することができる。日常のどこにでもある１次元バーコードや２次元バーコードなどを読み取る毎に新規のゴルフコース情報が生成されるため、プレイヤーの興味が持続される。バーコード情報などがコース情報に変換される意外性もプレイヤーの興味の喚起に貢献する。
【発明を実施するための最良の形態】
【０００７】
次に、本発明の１実施の形態を、図面を用いて説明する。
【０００８】
本発明に係るゴルフのゲームシステムは、図１に示すように、基本的には、バーコードや他の文字・画像情報などのデジタル情報を読み取る情報入力手段２、バーコードや他の文字・画像情報などのデジタル情報を記憶する情報記憶手段３、バーコードや他の文字・画像情報などのデジタル情報を解読しその解読結果に応じてゴルフコース情報に変換する処理手段４、ゴルフコース情報を画面に出力する表示または出力手段５、表示されたゴルフコース情報をもとにゴルフゲームを行う実行・操作手段６、ゴルフゲームの結果を記憶する記憶手段７の各要素からなる。
【０００９】
各手段は数字の順のステップで進む。
書籍に記載されたＱＲコードのようなデジタル情報１を、情報入力手段２たとえばカメラ付きの携帯端末によって取込む。
【００１０】
取込まれたバーコードや他の文字・画像情報などのデジタル情報は情報記憶手段３により記憶される。
【００１１】
情報記憶手段３により記憶されたバーコードや他の文字・画像情報などのデジタル情報は、処理手段４により、解読されその解読結果に応じてゴルフコース情報に変換される。コース情報とは、グリーン・フェアウェー・ラフ・池・バンカー・ティー位置などの地形、芝目、風力・風向・降雨状況などの気象状態、パー、カップまでの距離などである。生成されるゴルフコース情報はバーコード情報毎にユニークである。
【００１２】
情報記憶手段４により生成されたゴルフコース情報は、表示または出力手段５により画面に出力される。
【００１３】
表示または出力手段５により画面に出力されたゴルフコース情報をもとに、実行・操作手段６を用いてゴルフゲームが行われる。
【００１４】
実行・操作手段６を用いて行われるゴルフゲームの結果は記憶手段７により記憶される。
【図面の簡単な説明】
【００１５】
【図１】本発明の実施形態を示すフロー図
【図１】
2007151863.tif 000003
(57)【要約】【課題】  現在アスパラは、収穫後に出荷の品質を揃える為、長さを切り揃えたり、規格外品を撥ねて、その多くを畑に鋤きこんでいる。従来から、これらの未利用部分を活用するための検討がなされているが、その組成上、繊維質が固くて加工が難しい為、商品化には至っていない。また、色合い、風味、甘味などについても充分には引き出せず、市場性に耐え得る製品化が困難であった。【解決手段】  アスパラの裁ち落としや規格外品を洗浄した後に加熱することで、色合い、風味、甘味などを引き出し、その後に真空凍結乾燥機によって充分に乾燥させたものを租粉砕してから粉砕機かけることで、きめの細かい微粉末を得る。【選択図】図１
2007151527.tif 000002
【特許請求の範囲】
【請求項１】
アスパラの選定外品を原料とし、色合い並びに風味を生かすために加熱してペースト状にした後、真空凍結乾燥を経て、アスパラ特有の硬い繊維質を粉砕する為に前処理として粗粉砕をした後に粉砕機にかけることで得られるアスパラ微粉末の製造方法
【請求項２】
請求項１によって得られたアスパラ微粉末を含有することを特徴とする加工食品
【発明の詳細な説明】
【技術分野】
【０００１】  本発明は色合い、風味、甘味を損なっていない微粉末アスパラ並びにその製造方法に関するものであり、さらにはこの微粉末アスパラの特質に基づいて得られる高品質の加工食品に関するものである。
【技術背景】
【０００２】  現在は、アスパラを畑から採集した後に商品として出荷するために長さを切りそろえることで大量の切り下部分が残る。  この切り下部分を有効利用するために、従来はエキスをドリンクとして流通しているものがある。  またはペースト状に加工して活用することが検討されているが、繊維質が硬くて加工後に残る為に商品化には至っていない。  さらに露地ものアスパラは名寄市において５月末から７月初旬の短期間での供給に留まっている。
【０００３】  アスパラを洗浄し乾燥したものを粉砕する従来の方法で得たアスパラ粉末は、色合い、風味、甘味が生食のものに比べ著しく劣る。
【０００４】
【特許文献１】特公平７−１００００２号  公報
【発明が解決しようとする課題】
【０００５】  現在アスパラは、収穫後に出荷の品質を揃える為、長さを切り揃えたり、規格外品を撥ねて、その多くを畑に鋤きこんでいる。従来から、これらの未利用部分を活用するための検討がなされているが、その組成上、繊維質が固くて加工が難しい為、商品化には至っていない。また、色合い、風味、甘味などについても充分には引き出せず、市場性に耐え得る製品化が困難であった。
【課題を解決しようとする手段】
【０００６】  アスパラの裁ち落としや規格外品を洗浄した後に加熱することで、色合い、風味、甘味などを引き出し、その後に真空凍結乾燥機によって充分に乾燥させたものを粗粉砕してから粉砕機にかけることで、きめの細かい微粉末を得る。
【発明の効果】
【０００７】  本発明によれば、色合い、風味、甘味に優れ、硬い繊維質を粉砕した微細粒のアスパラ粉末を得ることが可能であり、これまで有効活用されていなかったアスパラの裁ち落とし部分や規格外品から付加価値の高い食品材料を得ることができるばかりではなく、これを活用した高品質の加工食品を得ることが出来る。
【発明を実施する為の最良の形態】
【０００８】  以下、本発明の実施の形態を図１に基づいて説明する。
【０００９】  ａの原料であるアスパラの選定外品とは、出荷時に長さを切り揃える時に出る裁ち落とし部分と一定の規格サイズに満たないものや損傷しているハネ品をいう。
【００１０】  ｂの洗浄においては、収穫後２４時間以内に洗浄することで、付着している異物を取り除くことが容易になる。
【００１１】  ｃでは、ｂの洗浄後速やかに、蒸し器によって１００℃で１０分間蒸すことで、色合い・風味・甘味を固定することが出来る。
【００１２】  ｄでは、ミキサーを使用してペースト状にする。
【００１３】  ｅでは、ペースト状の原料を５ｃｍ角に仕切られたトレイに５ｃｍの深さまで注ぎ込み急速冷凍機によって−１８℃に冷凍をする。  このことで真空冷凍乾燥機の作業時間を短縮することと機械の負荷を軽減する効果を生む。
【００１４】  ｆでは、ｅで冷凍したトレイをそのまま真空凍結乾燥機に入れる。
【００１５】  ｇでは、ｆで乾燥したブロック状の原料を手で崩しながらミキサーで粗粉砕する。
【００１５】  ｈでは、ｇで得られた粗粉砕した原料を高速摩砕型の粉砕機にかけて微粉砕して製品を得る。
【産業上の利用可能性】
【００１６】  小麦粉などの粉を原料にする加工食品やアイスクリーム、ムースなどに、本発明によるアスパラ粉末を少量混入させることで、アスパラ風味の食品を得ることができ、シーズンの短いアスパラの生食時期の限界を越えて通年アスパラを使用することが出来る。このことは、アスパラの端材の有効活用およびアスパラの多面的な消費形態を生むことに繋がり、その結果アスパラの認知度を上げることになり、アスパラの生食の消費拡大にも繋がる。
【図面の簡単な説明】
【００１７】
【図１】図１はアスパラの微粉末製造のフローチャートである。
【図１】
2007151527.tif 000003
(57)【要約】      （修正有）【課題】釣り針を、飲み込ませないで、はずす手間を無くし、釣り上げた魚を放流する際、苦痛を与えない釣り針の提供。【解決手段】  本発明以前の釣り針の軸（１）の上部（２）を延長した部分（４）を左、または右に折り曲げる事を特徴とする。【選択図】図３
2007151525.tif 000002
【特許請求の範囲】
【請求項１】
本発明以前の釣り針の軸（１）の上部（２）を延長した部分（３）を、左に折り曲げる事によって、曲げられた部分（４）がじゃまになり、喉の奥まで飲み込まれる事の無いのが特徴の釣り針。
【請求項２】
本発明以前の釣り針の軸（１）の上部（２）を延長した部分（３）を、右に折り曲げる事によって、曲げられた部分（５）がじゃまになり、喉の奥まで飲み込まれる事の無いのが特徴の釣り針。
【発明の詳細な説明】
【技術分野】
【０００１】  本発明は、釣り針に関するものであり、釣り針の形状に工夫を加える事によって、魚に釣り針を飲み込まれないようにしたものである。
【背景技術】
【０００２】  図１のように従来の釣り針は、飲み込まれない工夫が施されていない。
【発明の開示】
【発明が解決しようとする課題】
【０００３】  これには、次のような欠点があった。
（イ）釣り針を飲み込まれた場合、はずさなければ、次の釣りが出来ないが、はずす時間は無駄であり長い。
（ロ）釣り上げた魚が、釣り針を飲み込んでいた場合に、釣り針を付けたまま放流するのでは、魚にとって苦痛であり、また釣り人にとっても気分の良いものではない。
本発明は、これらの欠点を除く為になされたものである。
【課題を解決する為の手段】
【０００４】本発明以前の釣り針の軸（１）の上部（２）を延長した部分（３）を左、又は右に折り曲げる事によって、折り曲げた部分（４）と（５）がじゃまになり釣り針を飲み込まれる事は無い。
【発明の効果】
【０００５】図５のように、魚に釣り針を飲み込まれる事が無いので、釣り上げた魚を簡単に針からはずす事が出来る。
【発明を実施するための最良の形態】
【０００６】図３と図４のように、延長した軸上部を折り曲げる事により、魚に針を飲み込まれる事を防止できる。
【産業上の利用可能性】
【０００７】本発明に係る釣り針は、工業的に量産する事が可能であるため、産業上の利用可能性を有する。
【図面の簡単な説明】
【０００８】
【図１】従来の釣り針の正面図
【図２】従来の釣り針の軸上部を延長した図
【図３】延長した軸上部を左に折り曲げた釣り針の図
【図４】延長した軸上部を右に折り曲げた釣り針の図
【図５】実際に本発明の釣り針に魚がかかった様子。
【符号の説明】
【０００９】（１）  軸
（２）  軸上部
（３）  延長した軸の部分
（４）  左に折り曲げた部分
（５）  右に折り曲げた部分
【図１】
2007151525.tif 000003
【図２】
2007151525.tif 000004
【図３】
2007151525.tif 000005
【図４】
2007151525.tif 000006
【図５】
2007151525.tif 000007
(57)【要約】【課題】栄養豊富だが調理の難しいヤーコンを一般消費者に浸透させるには栄養素を損なわないで美味しく老若男女誰もが簡単に食べられる調理方法が必要。【解決手段】本発明（調理法）は作成時と飲食時の２回の加熱により味の浸透、均一、柔軟性を保つ。いつでも誰でも簡単に保存（冷凍）、調理、飲食が可能なヤーコンをふんだんに使った「ちまき」という調理済食品となる。【特許請求の範囲】
【請求項１】
本発明はヤーコンのお茶（ヤーコン葉の浸出液）とヤーコン芋その他多種類の食材を合わせて調理し竹皮で包んだ食品。
【請求項２】
古来より民間に伝わる薬膳と漢方の考え方に符合した食材を合わせた食べて美味しく体に良い、医食同源のちまき。
【発明の詳細な説明】
【技術分野】
【０００１】ヤーコン茶（ヤーコン葉の浸出液）を作る。これにもち米を浸してきび、あわ、黒米と共に炊く。打ち水・具（筍、しめじ、松の実）を煮るにも使用。調理済のヤーコン芋（地下茎）と合わせる。「味のアクセント」兼「トッピング」として黒ゴマ、生姜、クコの実を入れる。黒ゴマは香ばしさ、生姜の香りは食欲増進に、クコの実の赤い色は目にも鮮やか。食べやすい三角形のちまきとする。飲食時は電子レンジで４〜５分加熱。又は蒸し器で１５分蒸す。
【背景技術】
【０００２】ヤーコン葉を茹で、天日に干し、煤煎後、粉末にしてその浸出液（ヤーコン茶）を使う【非特許文献１】社）農林水産技術情報協会  編  月橋輝男、中西健夫著「ヤーコン」  社）農山漁村文化協会  発行
【背景分野】
【０００３】本発明（調理法）は食材の互いの持つ独特の風味と漢方や薬膳の考え方を用いて、薬効の相乗効果をも期待できる食品となっている。あわ、きび、黒米は古来より日本人が食して来た、他の食べ物にない独特の食感を持ち穀物類の特徴でもある食物繊維を摂取できる。特に黒米は古代米の一種にて玄米の種皮の部分に紫黒系色素（ポリフェノールのアントシアニン）を多く含む。筍、しめじは食物繊維と食感、松の実は肌に潤いを与え、美肌を作るとされる。黒ゴマはリノール酸の効果、生姜は発刊作用、クコの実は疲労回復を期待できる。
【発明が解決しようとする課題】
【０００４】オリゴ糖やポリフェノール、食物繊維など素晴らしい栄養の豊富な野菜ヤーコンだが、調理法が少々難しい為、調理初心者や調理のできない方、また忙しく調理が困難な時には摂取が難しい野菜とされ、まだまだ一般消費者からは食べにくい野菜とされている。ヤーコンを一般に浸透させるには、この食べにくい野菜という意識を無くす為、まず、老若男女誰もが簡単に食べやすい調理方法又は調理された品が必要である。
【課題を解決するための手段】
【０００５】本発明（調理方法）はヤーコン本来の味と栄養を活かしつつ簡易に調理、摂取ができる方法であり、ヤーコンの葉と芋その他の有益な食材の栄養を同時に摂取することが可能である。
【図面の簡単な説明】
【図１】一辺の長さが１５ｃｍ  厚さが４〜６ｃｍである三角形のちまき。竹皮を三角形に折込み作成、飲食時は開封する。（図３）
【０００６】
【図２】ちまき正面図
【０００７】
【図３】ちまき側面図
【０００８】  ちまき開封時（飲食時）
【図１】
2007151523.tif 000002
【図２】
2007151523.tif 000003
【図３】
2007151523.tif 000004
(57)【要約】【課題】座席に着席時一般的に足置き台は前席に取り付けられていて、座席の間隔によって充分好みの姿勢がとれない。【解決手段】前記の課題を解決する手段として足置き台の前後のストロークを大きく、高さ調整可能、取り付け状態の違和感をなくして完成する。【選択図】      図5
2007151726.tif 000002
【特許請求の範囲】
【請求項１】
鉄道、航空機、バス、船舶、自動車、劇場等の座席（1）の底部に設置した足置き台（2）であって、身長差に対応可能で、足置き台（2）が前後に大きくスライド可能な装置を備え、高さ調整機能を合わせ持ち履物を脱ぎ素足でリラックス度の増大、不使用格納時（図3）の足置き台のスペースを最少減に抑え、取り付け状態の違和感を無くする事を特徴とする座席の足置き台。
【発明の詳細な説明】
【技術分野】
【０００１】
本発明は鉄道、航空機、バス、船舶、自動車、劇場等の座席（1）の下部に足置き台装置を備えた座席に関するものである。
【背景技術】
【０００２】
種種の座席の改善が図られ、座席の背もたれの角度を変え好みの姿勢を選べる物や足掛け台等が設うけられている。
【発明の開示】
【発明が解決しようとする課題】
【０００３】
従来の足掛け装置に於いて前後のストロークが相対的に少なく、身長差に充分対応出来ない、履物を脱いで素足でリラックス度を増す様にする事にある。
【課題を解決するための手段】
【０００４】
本発明は請求項1記載の座席の足置き台の目的を達成するために、座席に座る人の身長差によって足置き台（2）を前後の可動を大きく調整可能が出来、不使用格納時装置全体をコンパクトにすることを特徴とするものである。
【発明の効果】
【０００５】
本発明により身長差に充分対応出来、足置き台の不使用格納時足元の不快感を感じない。
【発明を実施するための最良の形態】
【０００６】
座席（1）下部支持枠にコの字レール（４）を向い合せに左右に取り付け、コの字レール（４）内側にスライド部材（５）に回動軸（８）を介して足置き台（２）を取り付け、足置き台の手前を上げた状態（図3）では足置き台が前後にスライド可能と成り、足置き台の手前を下げると、スライドストップピン（７）がスライドストップ溝（10）に噛み足置き台が固定される、符号（１２）は素足時足蒸れ防止孔である。
【図面の簡単な説明】
【０００７】
【図１】座席の足置き台の側面図である。
【図２】足置き台の要部の側面図である。
【図３】足置き台の不使用時の格納状態を示す図である。
【図４】図2の円部の拡大図ある。
【図５】足置き台の使用状態を示す図である。
【図６】足置き台を高くした状態の側面図である。
【符号の説明】
【０００８】
1   座席
2   足置き台
3   支持脚
4   コの字レール
5   スライド部材
6   スプリング
7   スライドストップピン
8   回動軸
9   スプリング用支持軸
10  スライドストップ溝
11  格納ロック
12  足裏蒸れ防止孔
13  高さ調整アーム
【図１】
2007151726.tif 000003
【図２】
2007151726.tif 000004
【図３】
2007151726.tif 000005
【図４】
2007151726.tif 000006
【図５】
2007151726.tif 000007
【図６】
2007151726.tif 000008
(57)【要約】    【課題】    ナマコ及びイソアワモチの生は臭みがありホソバワダンの根は苦味を伴うあるいは薬効作用のため顆粒状にしたヒジキが喉にかかる、このように栄養価値のある食品であるにもかかわらず臭みがあり苦味があり喉にかかると云うような飲みづらさがあり、このような原材料の組み合わせをした食品はなかった。【解決手段】    魚貝類ナマコ及びイソアワモチ、海藻類ヒジキ、モズク，薬草類おおばこの全草（根、葉、種子）、苦瓜の根、苦瓜の茎、苦瓜の種子、ウコンの根、ホソバワダンの根、パセリ、穀物の米糠、大豆、香辛料のサンショウを原材料とした沖縄に伝わる民間薬の薬材を主体に組み合わせた効能に富んだ食品又体質改善のできる食品であり更に微粉末及び香辛料を用いた粒状あるいはカプセルと飲みやすくした健康食品である。【特許請求の範囲】
【請求項１】
ナマコ及びイソアワモチ、ヒジキ、モズク、ウコンの根、ホソバワダンの根、おおばこの全草（根、葉、種子）、苦瓜の根、苦瓜の茎、苦瓜の種子、パセリ、糠、大豆、サンショウの全てを原材料として、生、粉末、あるいは顆粒状にした食材。
【請求項２】
ナマコ及びイソアワモチ、糠、ホソバワダンの根、サンショウ、を粉末にしてここへヒジキを顆粒状にしたこの全てを混合した後、生のモズクを攪拌しぺースト状にしたものを混ぜ水を加えて練り、これを粒状にした後乾燥したことを特徴とする粒状健康食品。
【請求項３】
特許請求範囲第２項記載の食品を粉末にしてカプセルに詰めた事を特徴とするカプセル健康食品。
【請求項４】
苦瓜の種子，ホソバワダンの根，おおばこの全草（根、葉、種子）、大豆、この全てを乾燥させ微粉末にし混合したことを特徴とする粉末健康食品。
【請求項５】
苦瓜の根、苦瓜の茎、ホソバワダンの根、ウコンの根、パセリ、大豆、この全てを乾燥させ微粉末にし混合したことを特徴とする粉末健康食品。
【発明の詳細な説明】
【技術分野】
【０００１】
本発明は魚貝類、海藻類、薬草類、穀物類、香辛料、の食材からなり、体質改善ができる健康食品及びその製造方法に関する
【背景技術】
【０００２】
近年、文明社会の環境変化に伴う公害や、又は食生活のバランスを欠き、人々の健康を害する病が増大しています、特に生活習慣病、ストレスによる自己免疫疾患、ウイ−ルスによる感染症、等々現実は多くの人が良薬及び健康食品の開発を期待している。
【発明の開示】
【発明が解決しようとする課題】
【０００３】
従来、薬草を粉末にした食材に魚貝類ナマコ及びイソアワモチあるいは海藻類ヒジキを顆粒状にして混ぜた健康食品はない、民間薬においても薬草、魚貝類、海藻類を粉末にし混合して服用する事はなかった、しかしながら薬草の生を青汁にし服用したり複数の薬草を混合し煎じ薬にして服用することはあったがこのような食品は苦くて飲みづらいこと又煎じ薬は作るのに時間がかかる等の欠点があった。
【課題を解決するための手段】
【０００４】
本発明は従来使用されなかった自然の食材の組み合わせからなる特にホソバワダンの根を主体に今だ栄養素の分析がない食材、古来沖縄に伝わる民間薬を取り入れ、栄養効果のある飲みやすく体質改善のできる健康食品である。
【０００５】
自然で、生のままでの栄養素を活かした食材である。
【０００６】
魚貝類、海生動物の棘皮動物はナマコ及び無脊髄動物はイソアワモチが好ましい。
【発明の効果】
【０００７】
特許請求範囲第２項の健康食品を、体調不良の人又は症状が熱、咳、鼻水がある人１０人に試飲してもらった（１回子供３粒、大人５粒）試飲後の結果、熱及び咳がでてない人が８人、鼻水は少々あったが後に鼻水はなくなった人が２人であった、試飲１人１回、１０人で合計１０回である試飲から４０日経過した現在でも調子は良い。  
【０００８】
特許請求範囲第４項の健康食品を（１回小スプーン１杯１日朝と晩の２回服用）６人に試飲してもらった結果は試飲翌日から便通が良くなった人が２人、又便秘が５日間隔から２日間隔に減った人が４人でした、試飲から１２０日経過した現在でも同じ調子である。
【０００９】
特許請求範囲第５項の健康食品を（１回小スプーン１杯１日朝と晩の２回服用）試飲してもらった、試飲２日目にして突発性大腿骨頭壊死症の人が痛みが取れた５０日経過した現在は痛みは少々ある、しかしながら試飲以前は歩行も困難であり夜間に痛むこともあったが現在では畑仕事ができるようになった７５歳の女性。
【発明を実施するための最良の形態】
【００１０】
ナマコ及びイソアワモチの内臓を取り５０℃〜１００℃のお湯に１５分間浸して殺菌し洗浄してぬめりを取る、その後切断乾燥してナマコ及びイソアワモチを別々に粉末にるす。        
【００１１】
ウコンの根、ホソバワダンの根、おおばこの全草（根、葉、種子）、苦瓜の根、苦瓜の茎、パセリをそれぞれ洗浄し細かく切断するその後乾燥して別々に粉末にする。
【００１２】
乾燥ヒジキは粉砕機で０．２ｍｍから０．８ｍｍの顆粒にする。      
【００１３】
大豆、糠、それぞれ１００ｇの分量を、中火で別々に２分間焙煎した後粉末にする。
【００１４】
乾燥した、苦瓜の種子は種皮を除き粉末にする。
【００１５】
サンショウの乾燥物は、粉末にして殻を除く。
【００１６】
モズクは生を塩水に入れて洗い塩抜きした後に真水で洗い攪拌してぬめり成分をペースト状にする。
【実施例】
【００１７】
特許請求範囲第２項の粒状健康食品ナマコ粉末１０ｇ〜５０ｇとイソアワモチの粉末１０ｇ〜５０ｇ及びヒジキ顆粒１３ｇ〜３３ｇ糠粉末１０ｇ〜５０ｇホソバワダンの根の粉末５ｇ〜３５ｇサンショウ粉末１ｇ〜５ｇを混合し更にペースト状のモズク１０ｇ〜３０ｇを加え攪拌し適宜に水をくわえて練り、これを鋳方機に入れて粒状にしてその後に乾燥させた食品である。
【００１８】
特許請求範囲第３項のカプセル健康食品ナマコ粉末１０ｇ〜５０ｇとイソアワモチの粉末１０ｇ〜５０ｇ及びヒジキ顆粒１３ｇ〜３３ｇ糠粉末１０ｇ〜５０ｇホソバワダンの根の粉末５ｇ〜３５ｇサンショウ粉末１ｇ〜５ｇを混合し更にペースト状のモズク１０ｇ〜３０ｇを加え攪拌し適宜に水をくわえて練り、その後に乾燥させカプセルに詰めた食品である。
【００１９】
特許請求範囲第４項の粉末健康食品苦瓜の種子粉末１０ｇ〜３０ｇおおばこの全草（根、葉、種子）粉末１０ｇ〜４０ｇ大豆２０ｇ〜５０ｇホソバワダンの根粉末３ｇ〜３０ｇの全てを混合して微粉末にした食品である。
【００２０】
特許請求範囲第５項の粉末健康食品苦瓜の根粉末５ｇ〜１５ｇと苦瓜の茎の粉末５ｇ〜１５ｇウコンの粉末３ｇ〜３０ｇホソバワダンの根粉末３ｇ〜３０ｇパセリ粉末２０ｇ〜５０ｇ大豆粉末３０ｇ〜６０ｇの全てを混合して微粉末にした食品である。
【産業上の利用可能性】
【００２１】
生産、販売及び流通の面で貢献する。
(57)【要約】  【課題】施工時は固化した状態で、施工後の散水および又は、給水によって崩壊し、単体または混合した状態になる培養土を提供する。  【解決手段】水溶性結合剤と、基本用土、改良用土からなる培養土構成素材を混合して、板状またはブロック状に成形、固化した培養土である。  【選択図】図１
2007151465.tif 000002
【特許請求の範囲】
【請求項１】
水溶性結合剤と培養土構成素材を、混合し、成形、固化してなる培養土。
【請求項２】
水溶性結合剤は、セルロース系、デンプン系、アルギンサン系、多糖類、ポリビニルアルコールの１種以上を含む請求項１の培養土。
【請求項３】
成型形状を、板状またはブロック状としたものを、散水および又は給水によって、成形前の培養土構成素材とする培養土であることを特徴とする請求項１の培養土。
【発明の詳細な説明】
【技術分野】
【０００１】
本発明は、固化した状態で、運搬、造園等施工した後に、散水およびまたは、給水によって、施工前の培養土構成素材に復する培養土。
【背景技術】
【０００２】
一般に、市販されている培養土は、袋詰めされているものがほとんどであるが、この培養土構成素材中の土壌改良剤の多くは、軽量で飛散しやすいため、中性固化剤によって固化させたものがある。この固化された培養土は、散水によって容易に崩壊しないため、新たな植栽が困難である。また、培養土構成素材は、焼却炭、火山灰、石炭灰のいずれか１つ以上と、石膏粉、竹酢液とを限定して配合されているため、限られた植物にしか適さない緑化用培地である。
【特許文献１】特開２００４−２６１０２９号公報
【発明の開示】
【発明が解決しようとする課題】
【０００３】
施工時は固化した状態で、施工後の散水および又は、給水によって崩壊し、単体または混合した状態になる扱いやすい培養土の提供が求められていた。
【課題を解決するための手段】
【０００４】
請求項１記載の培養土は、水溶性結合剤と、培養土構成素材を混合し、成形、固化してなる培養土である。これは、積層しない１種の培養土構成素材を用いる場合もある。複数種の培養土構成素材を混合した成形培養土もある。更に、２種以上の培養土構成素材の１種間の積層、あるいは複数種の混合をした成形培養土の積層がある。成形前の積層や、固化後の積層であってもよい。
【０００５】
請求項２記載の培養土は、水溶性結合剤として、セルロース系、デンプン系、アルギンサン系、多糖類、ポリビニルアルコールの１種以上を含む請求項１の培養土である。このため、成形が容易で、かつ給水あるいは散水によって、成形前の培養土構成素材にできるので、無駄のない保管、運搬、早い施工ができ、植栽も容易である。
【０００６】
請求項３記載の培養土は、成型形状を、板状またはブロック状としたものを、散水および又は給水によって、成形前の培養土構成素材とする培養土であることを特徴とする請求項１の培養土である。このため、無駄のない保管、運搬、早い施工が実現できる。
【発明の効果】
【０００７】
施工時は固化した状態で、施工後の散水および又は、給水によって崩壊し、単体または混合した状態になる。
【発明を実施するための最良の形態】
【０００８】
本発明の培養土は、上層目に基本用土、改良用土のいずれか１種と、水溶性結合剤、水を混練したもの。下層目にも基本用土、改良用土のいずれか１種を水溶性結合剤、水を混練したものを。この混練した上層目と下層目を積層して成形、乾燥、固化させたものを標準とする。
【０００９】
本発明の培養土は、培養土構成素材である基本用土として、赤玉土、鹿沼土、黒土、砂、日向土、軽石、水苔の１種以上と、改良用土として、パーライト、バーミキュライト、ゼオライト、ピートモス、腐葉土、バーク堆肥、燻炭、ココピートの１種以上に、水溶性結合剤、水を混練して成形、乾燥、固化させてつくることもできる。
【００１０】
本発明の培養土構成素材の組み合わせ例として、改良用土のみのパーライトとバーミキュライトの混合又は積層、パーライトとピートモスの混合又は積層、パーライトとバーミキュライトとバーク堆肥を、混合又は積層する場合もある。更に、赤玉土とピートモスとバーミキュライトの３層の積層も可能である。このように、植物や植栽に応じていろいろな種類をつくることができる。
【００１１】
植物別に好ましい培養土とその構成素材の例を表１に示す。
【００１２】
【表１】
2007151465.tif 000003
【００１３】
成形方法として、吸引圧縮成形が好ましく、余分な水分を吸い取ることができ、吸引する力だけで圧縮するため、パーライトなど圧壊しやすい素材でも、破壊せずに成形できる。特に積層後の成形の場合にも、積層状態を破壊せずに成形できる。
【００１４】
本発明の培養土は、さまざまな形にできるため、植木鉢やプランターの形に成形あるいは積層することもできる。
【００１５】
水溶性結合剤の重量％は，１〜５重量％が好ましい。本発明の目的に好適な水溶性結合剤は，カルボキシメチルセルロースである。
【実施例】
【００１６】
実施例１
図１の培養土を作るには、上層目にカルボキシメチルセルロースを２重量％、水４０重量％、パーライト５８重量％を混練ミキサーでゆっくり攪拌した。下層目にカルボキシメチルセルロースを２重量％、水４０重量％、バーミキュライト５８重量％を混練ミキサーでゆっくり攪拌した。この上層目と下層目を積層して、吸引圧縮成形により、成形し、５０℃で２４時間乾燥させる。運搬がしやすく、保管も載積が可能であった。また、施工も容易であった。
【００１７】
実施例２
実施例１の施工後、給水して分離させ、植栽を施した。この時、培養土が団粒化していた。その結果、通気性、排水性、保水性に優れていることが、わかった。
【００１８】
実施例３
カルボキシメチルセルロースが２重量％、水４０重量％、パーライト５８重量％を混練し、成形した。力を入れてほぐすほどの強度があり、水による分散性にも問題なく最良の結果を得られた。
【００１９】
実施例４
カルボキシメチルセルロースが０．５重量％、水４０重量％、パーライト５９．５重量％を混練し、成形した。軽くほぐれる程度の強度しかなかったが、水による分散性には問題なかった。
【産業上の利用可能性】
【００２０】
本発明の培養土は、固化したものを、散水および又は、給水によって、単体または混合した状態にできる新しいタイプの培養土のため、生産、保管、施工の容易なものである。
【図面の簡単な説明】
【００２１】
【図１】本発明の培養土の全体図。
【符号の説明】
【００２２】
１  上層培養土
２  下層培養土
【図１】
2007151465.tif 000004
(57)【要約】【課題】普及しているペルチェモジュールを用いた核酸配列の増幅装置（サーマルサイクラーと呼ばれることが多い）において、ペルチェモジュールの温度制御対象の反対面には、空冷用のヒートシンクが取り付けられているため、熱交換の効率が悪い、熱交換の効率を上げるために、空冷ファンが大型化、高速回転が必要とされ、消費電力の増大および騒音の要因になっている。【解決手段】ペルチェモジュールの温度制御対象の反対面に送液機構を設けることで、従来のペルチェモジュールを用いた核酸配列の増幅装置に必須であった、大型のヒートシンクや送風ファンは不要になる。そのため増幅装置の小型化が可能になり、ファンの風切り音による騒音を大幅に低減することが出来る。【選択図】なし【特許請求の範囲】
【請求項１】
ペルチェモジュールの温度制御対象の反対面と接触する送液機構を設けたペルチェモジュールを用いた核酸配列の増幅装置。
【請求項２】
ペルチェモジュールの温度制御対象の反対面と接触する送液機構を有し、該機構を用いて、省エネルギーのための温度制御を行うことを特徴とする、ペルチェモジュールを用いた核酸配列の増幅装置。
【請求項３】
ペルチェモジュールの温度制御対象の反対面と接触する送液機構を有し、該機構を用いて、低騒音で温度制御を行うことを特徴とする、ペルチェモジュールを用いた核酸配列の増幅装置。
【発明の詳細な説明】
【技術分野】
【０００１】
本発明は、ペルチェモジュールを用いた核酸配列の増幅装置の改良方法に関するものである。
【背景技術】
【０００２】
核酸配列の増幅装置については、特許２６２２３２７、特許２６１３８７７に詳しく記載されている。これらの特許の技術はＰＣＲ法として、簡単・迅速に核酸配列を増幅する方法として広く利用されている。
【特許文献１】特許２６２２３２７
【特許文献２】特許２６１３８７７
【発明の開示】
【発明が解決しようとする課題】
【０００３】
解決しようとする課題は、特許２６２２３２７や特許２６１３８７７などで開示されている技術を応用した核酸配列の増幅装置（サーマルサイクラーと呼ばれることが多い）において、装置内で使用されているペルチェモジュールの温度制御対象の反対面には、熱交換用空冷ヒートシンクが取り付けられている。この方式での熱交換の効率が悪いため、熱交換の効率を上げるために、空冷ファンが大型化、高速回転が必要とされ、消費電力の増大および騒音の要因になっている、さらにヒートシンクを介して放出される熱エネルギーのすべて、もしくはそのほとんどは再利用不可能であるため、無駄なエネルギーを消費していることである。
【課題を解決するための手段】
【０００４】
本発明は、ペルチェモジュールの温度制御対象の反対面に送液機構を設け、該液相を介して、熱交換を行うことを特徴とする。
ペルチェモジュールの温度制御対象面を加熱するときは、該液相部分は冷却される。このとき冷却された液相内の液体は、保冷機構に送られ保冷され、次回、ペルチェモジュールの温度制御対象面を冷却するときの吸熱媒体として利用することができる
ペルチェモジュールの温度制御対象面を冷却するときは、該液相部分は加熱される。このとき加熱された液相内の液体は、保温機構に送られ保温され、次回、ペルチェモジュールの温度制御対象面を加熱するときの放熱媒体として利用することができる。
【発明の効果】
【０００５】
ペルチェモジュールの温度制御対象の反対面に送液機構を設けることで、従来のペルチェモジュールを用いた核酸配列の増幅装置に必須であった、大型のヒートシンクや送風ファンが不要になる。そのため増幅装置の小型化が可能になり、ファンの風切り音による騒音を大幅に低減することが出来る。
本発明により、ペルチェモジュールの温度制御対象面は、核酸配列の増幅のために加熱・冷却を繰り返すことになるが、その時の廃熱を再利用することが可能になり、エネルギーの無駄を省くことが可能になる。
【発明を実施するための最良の形態】
【０００６】
ペルチェモジュールの温度制御対象の反対面に送液機構を設ける。これは水冷ヒートシンクと水流ポンプを用いて簡単に実現できる。送液される液体は蒸留水や希釈したエチレングリコールなどの冷媒を用いることができる。
ペルチェモジュールの温度制御対象の反対面に送液される液体は、必要に応じて３つの温度条件（室温、室温より低温、室温より高温）から選択される。ペルチェモジュールの温度制御対象の反対面から送液される液体は、必要に応じて３つの温度条件（室温、室温より低温、室温より高温）から判断され、液体タンク、保冷機構、保温機構に送液される。
【実施例１】
【０００７】
ペルチェモジュールの温度制御対象の反対面に送液機構を設ける。これは水冷ヒートシンクと水流ポンプを用いて簡単に実現できる。送液される液体は蒸留水や希釈したエチレングリコールなどの冷媒を用いることができる。ペルチェモジュールの温度制御対象の反対面に送液される液体は、３つの温度条件（室温、室温より低温、室温より高温）から適切なものを選択する。ペルチェモジュールの温度制御対象の反対面から送液される液体は、３つの温度条件（室温、室温より低温、室温より高温）から判断され、液体タンク、保冷機構、保温機構のいずれか適切なものに送液される。これらの機構により、数百カロリーの熱量を温度サイクル毎に節約することができる。
【実施例２】
【０００８】
ペルチェモジュールの温度制御対象の反対面に送液機構を設ける。これは水冷ヒートシンクと水流ポンプを用いて簡単に実現できる。送液される液体は蒸留水や希釈したエチレングリコールなどの冷媒を用いることができる。ペルチェモジュールの温度制御対象の反対面に送液される液体は、図３の３によって室温まで冷却もしくは加温される。ペルチェモジュールの温度制御対象の反対面に送液機構を設けることで、図３の３（ヒートシンクおよび送風ファン）は図１の３の約１／４の体積とすることが可能になり、発生する騒音も約３０ｄＢから２０ｄＢ以下にまで低減することができる。
【産業上の利用可能性】
【０００９】
バイオテクノロジー、メディカルの分野で広く利用可能である。
【図面の簡単な説明】
【００１０】
【図１】従来のペルチェモジュールを用いた核酸配列の増幅装置の模式図である
【図２】本発明のペルチェモジュールを用いた核酸配列の増幅装置の模式図である（実施例１）
【図３】本発明のペルチェモジュールを用いた核酸配列の増幅装置の模式図である（実施例２）
【符号の説明】
【００１１】
１    反応ブロック（核酸配列の増幅が行われる部分）
２    ペルチェモジュール
３    ヒートシンクおよび送風ファン
４    送液機構
５    保冷機構
６    液体タンク
７    保温機構
【図１】
2007151457.tif 000002
【図２】
2007151457.tif 000003
【図３】
2007151457.tif 000004
(57)【要約】【課題】犬などのペットを繋ぐ場所において、ペットが広い範囲を動きまわれるように繋ぐ場所にレールを配し、レール内に滑動するローラなどを設けてペットを繋いでおく場合繋いでおく場所が円形から四角形に変更されたり、広い場所から狭い場所に変わったりした場合レールは、その場所でより使用できなかったり、一定の方向でよりペットは、動きまわることができなかった 。  【解決手段】レールのレイアウトの形状が楕円形又は四角形などより成り、形状の変曲部などでレールを分割し、分割されたレールを繋ぐ場所の形状、スペースに合せてボルト結合、はめ込みなどの方法で組立して繋ぐ場所におけるレールのレイアウトを形成できるようにする。【選択図】図１
2007151485.tif 000002
【特許請求の範囲】
【請求項１】
犬などのペットが繋がれた状態で運動できるようにペットを繋いでおくためのレー
ルにおいて、レール全体のレイアウトが分割可能の楕円形、多角形などで形成され、
繋ぐ 場 所の地上スペース、形状に合わせて分割されたレールを組立ることで形成で
きるようにしたペット運動用レール。
【発明の詳細な説明】
【技術分野】
【０００１】
本発明は、犬などのペットを繋いでおくための設備で予め分割されたレールを繋ぐ場
所のスペース、形状に合わせて組立て、レイアウトすることを可能としたものである。        
【背景技術】
【０００２】
現在多く使われているものは、２個所の支柱の間にワイヤなどを張り、ワイヤ上の滑
車をペットに引かせる方法であったり、建物の壁などにレールを張り付けてペットを
壁に沿って動けるようにした方法であったりしている。
【０００３】
しかし、これらの方法においては、ペットの繋ぐ場所を広い場所から狭い場所、四
角形の場所から円形の場所へ移動したりした場合などは、ペットが動きまわれるよ
うに繋いでいるレールを繋ぐ場所の形状、スペースに合わせて対応させることが不
可能でその場所でより予め配したレールを使用できないなどの課題があった。
【特許文献１】特開平０５−３２８８６８
【特許文献２】特開平０７−３１３０１３
【発明の開示】
【課題を解決するための手段】
【０００４】
本発明は、犬などのペットが繋がれた状態で広い範囲を運動できるように繋いでおく
ためのレールで、レールのレイアウトの形状が楕円形または四角形などより成り、形
状の変曲部などでレールを分割し、分割されたレールを繋ぐ場所の形状、スペースに
合わせてボルト結合、はめ込みなどの方法で組立して繋ぐ場所におけるレールのレイ
アウトを形成できるようにすることで課題を解決するものである。
【発明を実施するための最良の形態】
【０００５】
本発明は、図１に示されるように支柱の天井の側に予め分割された後、犬などのペッ
トを繋いでおく場所に組立レイアウトされたレール２を有し、レール２の溝にはペッ
トの動きに従って滑動するローラ１を配し、ペットがレール２に繋がれる構成になっ
ている。レール２は、変曲部などで分割され繋いでおく場所の形状、スペースに合わ
せて予め分割されたレールを選択、組立する。
【０００６】
レールの形状を楕円形とした場合、図２に示されるようにレールの変曲部を分割、桔
合部とすれば、分割されたレールを選択して組立することにより、レールのレイアウ
ウトは、直線、円弧、円及びそれらの結合された形状となる。
【実施例１】
【０００７】
図１は、本発明設備の１実施例で全体を示し上及び地上から見たものである。
【図面の簡単な説明】
【０００８】
【図１】本発明設備の実施方法を示した説明図である。（実施例１）
【図２】組立してレイアウトした図である。
【符号の説明】
【０００９】
１  ペットの動きに合わせて滑動するローラ 
２  ローラを案内するレール
３  レールを支持する支柱
４  組立接合部
５  ペットをつなぐ鎖など
【図１】
2007151485.tif 000003
【図２】
2007151485.tif 000004
(57)【要約】【課題】電磁調理器用石鍋を製造する場合、底を薄く削り込む必要があるが、石板を４ミリ以下に削り込む作業に熟練を要し時間もかかった。この工程を簡略化し作業を容易にして量産に対応し、かつ、安価に製造する加工方法を開発することを課題とした。【解決手段】２個の石鍋の底部分を一体化した形状の鍋を石材より削りだし、石鍋に加工したあとで一体化した底部分の中央を切断して２個の石鍋とすることで課題を解決した。この方法により鍋の底を薄く削り込むための加工上の熟練度は必要なく、また石材から２個を一体として製作するため石材の無駄もなく、底を切り離すだけで同時に２個の石鍋が出来上がるので加工時間も短縮出来、量産にも対応することが出来た。【選択図】図１
2007151980.tif 000002
【特許請求の範囲】
【請求項１】
石鍋や石皿およびビビンバ用石鍋などの石で作られた食器において食器の底面を削る場合、２個の食器の底面同士が一体になった形状に石材から削り出し、底面同士が一体化された部分の中央を切断して２個の食器に切り分けることを特徴とする石製食器の加工方法。
【発明の詳細な説明】
【技術分野】
【０００１】
本発明は、石や陶器で作られた食器の加工方法に関するものである。
【背景技術】
【０００２】
従来より石鍋はガスで加熱することを前提として製作されていたので、底の厚さも１０ミリ以上と厚いものが普通であった。近年になって電磁調理器の普及に伴って、石鍋も電磁調理器で加熱したいと言う要望が強くなってきた。電磁調理器ではカーボン板を発熱体として用いることが出来るため、石鍋の底にカーボンの板を貼り付けた電磁調理器対応の石鍋が開発されている。この場合、石鍋の底の厚さが１０ミリ以上あると、カーボンの板で発熱した熱が石鍋内の食材に伝わるのに時間がかかり、かつ、発熱体であるカーボン板の温度が４００℃超えるほどになり危険であった。
【発明の開示】
【発明が解決しようとする課題】
【０００３】
石鍋を電磁調理器で安全に、また短時間で調理出来るようにするには石鍋の底の厚さを薄くすればカーボンの熱が食材に早く伝わり安全に短時間で調理出来る。そこで本発明では、石鍋の底の厚さを０．５〜４ミリ程度に薄く、安価に削るにはどのようにすればよいかを課題とした。
【課題を解決するための手段】
【０００４】
石鍋の底を底面から少しづつ削って２ミリ程度に削ろうとすると、破損したり穴が開いたりして加工が困難であった。そこで図１に示すように、２個の石鍋の底を一体化した状態の石鍋を作り、その石鍋の底の中央部分を切断すれば、２個の石鍋が製作出来る。このとき、分離される前の状態の石鍋の底の厚さは１０ミリとし切断に用いるカッターの刃の巾が５ミリとすれば、石底はそれぞれ２．５ミリの厚さとなり目的を達することが出来る。
【発明の効果】
【０００５】
以上述べたように、従来は石鍋の底を薄く削り込むために加工が難しく熟練した作業が必要で、加工に時間を必要としたが、本発明の方法によれば、１回の切断で２個同時に加工出来るので作業に熟練を必要とせず、加工時間も短縮できる。また底の厚い石鍋を削り込むことなく２個の底を一体化した状態の石鍋から加工するので石材も節約出来、カッターの消耗度も小さく、量産するのが容易である。電磁調理器の普及に伴い電磁調理器用石鍋の需要も増えるため量産の要望にも対応することが出来るようになった。
【発明を実施するための最良の形態】
【０００６】
本発明は、石鍋の底を１回の切断で、底の厚さが４ミリ以下の薄い底をつけた２個の石鍋を作るため、石鍋の底面以外は加工を済ませておく。切断機は円板の周辺にダイヤを付けた工具でもよいし、コンタマシンの刃にダイヤを付けて用いてもよい。石鍋は図１のように削っておく。切断機にセットし中央の部分を切断する。切断時に石鍋を固定し易くするため、石鍋は２個とも同じ寸法のものとするのが望ましい。底の厚さは鋸刃の厚みと仕上がりの鍋底の厚みを考慮して決定する。
【実施例１】
【０００７】
図１は、請求項１の実施例の断面を示す説明図であって、直径２６０ミリの石鍋（１）が底部分で２個くっついた状態を示している。この底部分（２）の中央を厚さ５ミリの円板に焼結ダイヤを取り付けた円板状のプレートと呼ばれるカッターで切断する。石鍋の底の厚みを２ミリとするときは、削り出す２個の石鍋の一体化された底部分を９ミリの厚さに製作し、底部分の中央で切り分けると、切り分けられたそれぞれの石鍋の底の厚みは２ミリとなる。石皿の場合も同様であって、ビビンバの鍋などにも応用できる。
図２は、切り分けられた底の薄い石鍋の断面図である。
図３は、この加工法を陶器製の鍋に応用した場合を示す説明図であって、陶器鍋の底を接着剤で貼り合わせ、貼り合わせた底の中央部分を切断することにより薄い底の陶器鍋を製作することが出来る。
【産業上の利用可能性】
【０００８】
本発明は、電磁調理器用石鍋を量産する場合に考えられたもので、石鍋の底を出来るだけ薄く面切削する場合に比べて、加工時間が短く、切削面の仕上がりが綺麗に出来、かつ、１度の切断で２個の製品が出来るので量産するには良い方法である。石鍋に限らず石皿やビビンバ鍋の製造にも利用出来る。また、陶器の底を薄く削る場合、２個の陶器を石鍋のように合体した形状に焼き上げることが難しいので、１個づつ作り底面同士を接着し、石鍋と同様の方法で切断すれば２個の陶器の底面を１度に薄く削ることが出来る。
【図面の簡単な説明】
【０００９】
【図１】底面を一体化させて製作した２個の石鍋の断面図である。
【図２】図１の石鍋の一体化された底中央を切断して出来た薄い底の石鍋の断面図である。
【図３】本発明の加工法を陶器製の食器に応用した場合の説明図である。
【符号の説明】
【００１０】
１  底面を一体化して作られた２個の石鍋
２  ２個の石鍋の一体化された底部分
３  完成した底の薄い石鍋
４  陶器製の鍋
５  接着剤
【図１】
2007151980.tif 000003
【図２】
2007151980.tif 000004
【図３】
2007151980.tif 000005